(57)【要約】【課題】容器本体の口部に蓋体を螺合させることなく、容器本体の口部を簡単に開閉することができる飲料容器を提供する。【解決手段】口部２ａ及びその下側の内周面が窪んだ窪み部２ｂを有する容器本体２と、口部２ａを閉塞する蓋体３とからなり、蓋体３は、口部２ａに被嵌される外蓋１０ａと、外蓋１０ａに嵌着された、口部２ａに入り込む内筒部１６を有する内蓋１０ｂと、内蓋１０ｂの内筒部１６に摺動自在に外嵌めされる、下端部に外フランジ部３４を有するコア部材３０と、コア部材３０に摺動自在に外嵌めされた弾性変形可能なパッキン４０とを備えている。蓋体３を口部２ａに被嵌してコア部材３０の外フランジ部３４が窪み部２ｂの下面に当接した状態で蓋本体１０を押し下げると、コア部材３０に対してパッキン４０が降下し、スカート部４２が外フランジ部３４に当接して押し広げられ、窪み部２ｂに圧入されることで窪み部２ｂに液密状態で圧着される。【選択図】        図１１
0003226157.tif 000002
【実用新案登録請求の範囲】
【請求項１】
口部を有する容器本体と、前記容器本体の口部を閉塞する蓋体とを備えた飲料容器であって、
前記容器本体は、その口部の下側の内周面が径方向外側に窪んだ窪み部を有し、
前記蓋体は、
前記容器本体の口部に入り込む内筒部を有する蓋本体と、
前記蓋本体に対して上下方向に移動可能に前記蓋本体の内筒部に外嵌めまたは内嵌めされるコア部材と、
前記コア部材に対して上下方向に移動可能に前記コア部材に外嵌めされ、前記コア部材に対する前記蓋本体の降下動作に連動して前記コア部材に対して降下する弾性変形可能な筒状のパッキンと、
前記コア部材に対して前記蓋本体が降下した状態に保持する、その保持を解除可能なロック手段と
を備え、
前記コア部材は、下端部に前記容器本体の窪み部の下面に当接する外フランジ部を有し、
前記パッキンは、外周面が全周に渡って径方向内側に窪んだ薄肉部と、この薄肉部から下方に向かってラッパ状に広がって前記コア部材の外フランジ部の上面を覆うスカート部とを有し、
前記コア部材の外フランジ部が前記容器本体の窪み部の下面に当接するまで前記パッキン及びコア部材を前記容器本体の口部に挿入した状態で前記蓋本体を押し下げることにより、前記コア部材に対して前記蓋本体及び前記パッキンが降下し、それに伴って、前記パッキンのスカート部が前記コア部材の外フランジ部に当接して押し広げられ、その先端が前記コア部材の外フランジ部の径方向外側に張り出して前記容器本体の窪み部に圧入されることで前記容器本体の窪み部に液密状態で圧着され、前記ロック手段によってその状態が保持されることを特徴とする飲料容器。
【請求項２】
前記パッキンは、上部に径方向外側に張り出す外フランジ部を有し、
前記コア部材の外フランジ部が前記容器本体の窪み部の下面に当接するまで前記パッキン及びコア部材を前記容器本体の口部に挿入した状態で前記蓋本体を押し下げることにより、前記パッキンの外フランジ部の下面が前記容器本体の口部の上端部に圧接するようになっている請求項１に記載の飲料容器。
【請求項３】
前記ロック手段は、
前記コア部材に形成された、上端に係止部を有する一対の起立片と、
前記蓋本体に形成された部材収容部に、前記蓋本体の径方向内側にそれぞれ押し込み可能に収容される、前記コア部材の起立片が挿入可能な挿入穴を有する一対の操作部材と、
前記一対の操作部材を、前記蓋本体の径方向外側にそれぞれ付勢する付勢部材と
を備え、
前記一対の操作部材は、その挿入穴に挿入された前記コア部材の係止部が係止される被係止部を有し、
前記コア部材に対する前記蓋本体の降下に伴い、前記操作部材が前記コア部材の係止部によって径方向内側に押し込まれながら降下し、前記操作部材の被係止部が前記コア部材の係止爪の下側に移動すると、前記操作部材が前記付勢部材の付勢力によって径方向外側に押し出されて前記コア部材の係止爪が前記操作部材の被係止部に係止され、前記コア部材に対して前記蓋本体が降下した状態に保持されるようになっている請求項１または２に記載の飲料容器。
【考案の詳細な説明】
【技術分野】
【０００１】
この考案は、携帯用魔法瓶や水筒等の飲料容器に関する。
【背景技術】
【０００２】
携帯用の飲料容器としては、例えば、特許文献１に開示されたものがある。この飲料容器は、図２４（ａ）、（ｂ）に示すように、飲み口６２ａを有する有底筒体６２が外環状パッキン６３を介して液密状態で口部６１ａに装着された容器本体６１と、有底筒体６２に嵌合可能な突出部６５に内環状パッキン６６が嵌着された蓋体６４とから構成されており、蓋体６４に形成された雌ねじ６４ａを容器本体６１の口部外周面に形成された雄ねじ６１ｂにねじ込むことで、内環状パッキン６６が有底筒体６２の内周面に液密状態で接触し、有底筒体６２の飲み口６２ａが閉塞されるようになっている。
【先行技術文献】
【特許文献】
【０００３】
【特許文献１】実用新案登録第３１７１８０１号公報
【考案の概要】
【考案が解決しようとする課題】
【０００４】
上述したように、特許文献１に示す飲料容器は、蓋体６４を容器本体６１の口部６１ａに螺合することにより、有底筒体６２の飲み口６２ａを閉塞するようになっているが、有底筒体６２の飲み口６２ａを完全に閉塞するためには、通常、蓋体６４を約１回転、即ち、約３６０度回転する必要があるので、こういった回転操作による蓋体６４の開閉には手間がかかると共に、蓋体６４の開閉時に蓋体６４の内環状パッキン６６が有底筒体６２の内周面を摺動するので、内環状パッキン６６が摩耗し易く、シール性能が低下し易いといった問題がある。
【０００５】
また、蓋体を容器本体の口部に螺合するタイプの飲料容器は、蓋体や容器本体のねじ部分に汚れがたまりやすく、洗浄に手間がかかるといった問題もある。
【０００６】
そこで、この考案の課題は、容器本体の口部に蓋体を螺合させることなく、容器本体の口部をワンタッチで簡単に開閉することができる飲料容器を提供することにある。
【課題を解決するための手段】
【０００７】
上記の課題を解決するため、請求項１に係る考案は、口部を有する容器本体と、前記容器本体の口部を閉塞する蓋体とを備えた飲料容器であって、前記容器本体は、その口部の下側の内周面が径方向外側に窪んだ窪み部を有し、前記蓋体は、前記容器本体の口部に入り込む内筒部を有する蓋本体と、前記蓋本体に対して上下方向に移動可能に前記蓋本体の内筒部に外嵌めまたは内嵌めされるコア部材と、前記コア部材に対して上下方向に移動可能に前記コア部材に外嵌めされ、前記コア部材に対する前記蓋本体の降下動作に連動して前記コア部材に対して降下する弾性変形可能な筒状のパッキンと、前記コア部材に対して前記蓋本体が降下した状態に保持する、その保持を解除可能なロック手段とを備え、前記コア部材は、下端部に前記容器本体の窪み部の下面に当接する外フランジ部を有し、前記パッキンは、外周面が全周に渡って径方向内側に窪んだ薄肉部と、この薄肉部から下方に向かってラッパ状に広がって前記コア部材の外フランジ部の上面を覆うスカート部とを有し、前記コア部材の外フランジ部が前記容器本体の窪み部の下面に当接するまで前記パッキン及びコア部材を前記容器本体の口部に挿入した状態で前記蓋本体を押し下げることにより、前記コア部材に対して前記蓋本体及び前記パッキンが降下し、それに伴って、前記パッキンのスカート部が前記コア部材の外フランジ部に当接して押し広げられ、その先端が前記コア部材の外フランジ部の径方向外側に張り出して前記容器本体の窪み部に圧入されることで前記容器本体の窪み部に液密状態で圧着され、前記ロック手段によってその状態が保持されることを特徴とする飲料容器を提供するものである。
【０００８】
また、請求項２に係る考案は、請求項１に係る考案の飲料容器において、前記パッキンは、上部に径方向外側に張り出す外フランジ部を有し、前記コア部材の外フランジ部が前記容器本体の窪み部の下面に当接するまで前記パッキン及びコア部材を前記容器本体の口部に挿入した状態で前記蓋本体を押し下げることにより、前記パッキンの外フランジ部の下面が前記容器本体の口部の上端部に圧接するようになっていることを特徴としている。
【０００９】
また、請求項３に係る考案は、請求項１または２に係る考案の飲料容器において、前記ロック手段は、前記コア部材に形成された、上端に係止部を有する一対の起立片と、前記蓋本体に形成された部材収容部に、前記蓋本体の径方向内側にそれぞれ押し込み可能に収容される、前記コア部材の起立片が挿入可能な挿入穴を有する一対の操作部材と、前記一対の操作部材を、前記蓋本体の径方向外側にそれぞれ付勢する付勢部材とを備え、前記一対の操作部材は、その挿入穴に挿入された前記コア部材の係止部が係止される被係止部を有し、前記コア部材に対する前記蓋本体の降下に伴い、前記操作部材が前記コア部材の係止部によって径方向内側に押し込まれながら降下し、前記操作部材の被係止部が前記コア部材の係止爪の下側に移動すると、前記操作部材が前記付勢部材の付勢力によって径方向外側に押し出されて前記コア部材の係止爪が前記操作部材の被係止部に係止され、前記コア部材に対して前記蓋本体が降下した状態に保持されるようになっていることを特徴としている。
【考案の効果】
【００１０】
以上のように、請求項１に係る考案の飲料容器は、蓋体におけるコア部材の外フランジ部が容器本体の窪み部の下面に当接するまでパッキン及びコア部材を容器本体の口部に挿入した状態で蓋本体を押し下げるだけで、容器本体の口部が蓋体によって液密状態に閉塞され、ロック手段によってその状態が保持されると共に、ロック手段によるロックを解除するだけで、蓋体を容器本体の口部から引き抜き可能な状態になるので、蓋体を約３６０度回転させなければ、容器本体の口部を開閉することができない螺合タイプの飲料容器とは異なり、蓋体による容器本体の口部の開閉をワンタッチで行うことができ、蓋体による開閉操作に手間がかからないと共に、蓋体による容器本体の口部の開閉時にパッキンが容器本体の窪み部を周方向に摺動しないので、パッキンが摩耗し難く、シール性能が低下し難いという効果が得られる。
【００１１】
また、蓋体や容器本体がねじ部分を有していないので、汚れがたまり難く、洗浄に手間がかからないという効果も得られる。
【００１２】
また、請求項２に係る考案の飲料容器は、パッキンが、上部に径方向外側に張り出す外フランジ部を有し、蓋体によって容器本体の口部を閉塞した状態では、パッキンの外フランジ部の下面が容器本体の口部の上端部に圧接するようになっているので、蓋体によって容器本体の口部を閉塞した状態では、容器本体の口部の下側の窪み部と容器本体の口部の上端部の２箇所で液密状態となり、密封性能が向上し、容器本体に充填された飲料の漏れ出しをより確実に防止することができる。
【００１３】
また、請求項３に係る考案の飲料容器は、蓋本体を押し下げるだけで、コア部材に対して蓋本体が降下した状態に自動的に保持されると共に、一対の操作部材を径方向内側に押し込むだけで、その保持状態が解除されるので、ロック手段によるロック及びロック解除の操作性に優れている。
【図面の簡単な説明】
【００１４】
【図１】（ａ）はこの考案に係る飲料容器の一実施形態を示す斜視図、（ｂ）は同上の飲料容器の蓋体を外した状態を示す斜視図である。
【図２】同上の飲料容器を構成している容器本体を示す縦断面図である。
【図３】（ａ）は同上の飲料容器を構成している蓋体を示す、図１（ｂ）のＸ−Ｘ線に沿った縦断面図、（ｂ）は同上の蓋体を示す、図１（ｂ）のＹ−Ｙ線に沿った縦断面図である。
【図４】同上の飲料容器を構成している蓋体を示す分解斜視図である。
【図５】（ａ）は同上の蓋体を構成している蓋本体を図１（ｂ）に示すＸ−Ｘ線に対応する位置で破断した縦断面図、（ｂ）は同上の蓋本体を図１（ｂ）に示すＹ−Ｙ線に対応する位置で破断した縦断面図、（ｃ）は同上の蓋本体を図６に示すＺ−Ｚ線に対応する位置で破断した縦断面図である。
【図６】（ａ）は同上の蓋本体を構成している外蓋を示す平面図、（ｂ）は同上の外蓋を示す底面図、（ｃ）は（ａ）のＸ−Ｘ線に沿った縦断面図、（ｄ）は（ａ）のＹ−Ｙ線に沿った縦断面図である。
【図７】（ａ）は同上の蓋本体を構成している内蓋を示す平面図、（ｂ）は同上の内蓋を示す側面図、（ｃ）は同上の内蓋を他の方向から視た側面図、（ｄ）は（ａ）のＸ−Ｘ線に沿った縦断面図、（ｅ）は（ａ）のＹ−Ｙ線に沿った縦断面図である。
【図８】（ａ）は同上の蓋体を構成しているコア部材を示す平面図、（ｂ）は同上のコア部材を示す側面図、（ｃ）は同上のコア部材を他の方向から視た側面図、（ｄ）は（ａ）のＸ−Ｘ線に沿った縦断面図、（ｅ）は（ａ）のＹ−Ｙ線に沿った縦断面図である。
【図９】（ａ）は同上の蓋体を構成しているパッキンを示す平面図、（ｂ）は同上のパッキンを示す側面図、（ｃ）は（ａ）のＸ−Ｘ線に沿った縦断面図である。
【図１０】（ａ）は同上の蓋体を構成しているロック手段の構成要素であるロック解除ボタン及びコイルバネを示す平面図、（ｂ）は同上のロック解除ボタン及びコイルバネを示す側面図、（ｃ）は（ａ）のＸ−Ｘ線に沿った断面図、（ｄ）は同上のロック解除ボタン及びコイルバネを同上の内蓋に組み付けた状態を示す平面図である。
【図１１】（ａ）は同上の蓋体を容器本体の口部に嵌合させた状態の飲料容器を図１（ｂ）に示すＸ−Ｘ線に対応する位置で破断した部分縦断面図、（ｂ）は（ａ）に示す状態から蓋本体を押し下げて容器本体の口部を閉塞した飲料容器を図１（ｂ）に示すＸ−Ｘ線に対応する位置で破断した部分縦断面図である。
【図１２】（ａ）は同上の蓋体を容器本体の口部に嵌合させた状態の飲料容器を図１（ｂ）に示すＹ−Ｙ線に対応する位置で破断した部分縦断面図、（ｂ）は（ａ）に示す状態から蓋本体を押し下げて容器本体の口部を閉塞した飲料容器を図１（ｂ）に示すＹ−Ｙ線に対応する位置で破断した部分縦断面図である。
【図１３】この考案に係る飲料容器の他の実施形態を示す斜視図である。
【図１４】同上の飲料容器を構成している容器本体を示す縦断面図である。
【図１５】同上の飲料容器を構成している蓋体を示す分解斜視図である。
【図１６】同上の蓋体を構成している蓋本体を下側から視た斜視図である。
【図１７】同上の蓋本体を下側から視た分解斜視図である。
【図１８】（ａ）は同上の蓋本体を図１３に示すＸ−Ｘ線に対応する位置で破断した縦断面図、（ｂ）は同上の蓋本体を図１３に示すＹ−Ｙ線に対応する位置で破断した縦断面図である。
【図１９】（ａ）は蓋体を構成しているコア部材を図１３に示すＸ−Ｘ線に対応する位置で破断した縦断面図、（ｂ）は同上のコア部材を図１３に示すＹ−Ｙ線に対応する位置で破断した縦断面図である。
【図２０】同上の蓋体を構成しているパッキンを示す縦断面図である。
【図２１】（ａ）は同上のパッキンを取り付けた状態の蓋本体を図１３に示すＸ−Ｘ線に対応する位置で破断した縦断面図、（ｂ）は同上のパッキンを取り付けた状態の蓋本体を図１３に示すＹ−Ｙ線に対応する位置で破断した縦断面図である。
【図２２】（ａ）は同上の蓋体を図１３に示すＸ−Ｘ線に対応する位置で破断した縦断面図、（ｂ）は同上の蓋体を図１３に示すＹ−Ｙ線に対応する位置で破断した縦断面図である。
【図２３】（ａ）は同上の蓋体を容器本体の口部に嵌合させた飲料容器を図１３に示すＸ−Ｘ線に対応する位置で破断した部分縦断面図、（ｂ）は（ａ）に示す状態から蓋本体を押し下げて容器本体の口部を閉塞した飲料容器を図１３に示すＸ−Ｘ線に対応する位置で破断した部分縦断面図である。
【図２４】（ａ）は螺合タイプの飲料容器の蓋を閉じた状態を示す部分断面図、（ｂ）は同上の飲料容器の蓋を開けた状態を示す部分断面図である。
【考案を実施するための形態】
【００１５】
以下、実施の形態について図面を参照して説明する。図１（ａ）、（ｂ）に示すように、この飲料容器１は、口部２ａを有する容器本体２と、この容器本体２の口部２ａを閉塞する蓋体３とを備えている。
【００１６】
前記容器本体２は、図２に示すように、有底円筒状で、外壁と内壁との間が略真空に保持された真空二重壁構造を有する金属容器であり、その口部２ａの下側の内周面が径方向外側に窪んだ窪み部２ｂを有している。
【００１７】
前記蓋体３は、図３（ａ）、（ｂ）及び図４に示すように、容器本体２の口部２ａに被嵌される外蓋１０ａ及び外蓋１０ａに嵌着された、容器本体２の口部２ａに入り込む内蓋１０ｂからなる蓋本体１０と、蓋本体１０に対して上下方向に移動可能に内蓋１０ｂに支持されたコア部材３０と、コア部材３０に対して上下方向に移動可能にコア部材３０に支持された弾性変形可能なシリコーンゴム製の筒状のパッキン４０と、コア部材３０に対して蓋本体１０が降下した状態に保持する、その保持を解除可能なロック手段とを備えている。
【００１８】
前記外蓋１０ａは、図４、図５（ａ）〜（ｃ）及び図６（ａ）〜（ｃ）に示すように、円盤状の天板１１と、この天板１１の周縁部から垂下する円筒状の外筒部１２とを備えており、天板１１の周縁部から外筒部の上部に渡って一対の開口１３が形成されていると共に、外筒部１２の内周面における上部には対向する二対の係止爪１４及び上下方向に延びる対向一対の凸条１５が形成されている。
【００１９】
前記内蓋１０ｂは、図４、図５（ａ）〜（ｃ）、図７（ａ）〜（ｅ）に示すように、有底の内筒部１６と、内筒部１６の上端部に連設された、外蓋１０ａに嵌着される支持部１９とを備えており、外蓋１０ａと支持部１９とによって、上述したロック手段を構成するロック解除ボタン５１及びコイルバネ５７を収容するボタン収容部ＢＨが形成されている。
【００２０】
前記内筒部１６の周面部は、一対の平面部及び両平面部に繋がる一対の円弧状の曲面部を有しており、一対の曲面部にはＵ字状のスリットをそれぞれ形成することで、下端に係止爪１８を有する一対の舌片１７が形成されている。
【００２１】
前記支持部１９は、内筒部１６の上端部から外側に張り出す円形状の基板２０と、外蓋１０ａの開口１３の両側縁に対応して基板２０の上面から立ち上がってボタン収容部ＢＨを形成する対向一対の平坦な起立板２１と、各起立板２１の両端部にそれぞれ連結される、基板２０の外縁から円弧状に立ち上がる一対の円弧起立板２２とを備えており、基板２０における一対の起立板２１間には、内筒部１６を挟んで、コア部材３０の後述する起立片３５が挿入される一対の穴２３が形成されている。
【００２２】
前記一対の円弧起立板２１の外面には、その中央部に外蓋１０ａの凸条１５が嵌入される縦溝２４が形成されていると共に、両側部に外蓋１０ａの係止爪１４が係止される凹部２５が形成されており、外蓋１０ａの凸条１５を支持部１９の縦溝２４に嵌入しながら、支持部１９を外蓋１０ａに嵌め入れると、図５（ｃ）に示すように、外蓋１０ａの係止爪１４が凹部２５に係止され、外蓋１０ａと内蓋１０ｂとが組み付けられた状態に保持される。
【００２３】
前記コア部材３０は、図３（ａ）、（ｂ）、図４及び図８（ａ）〜（ｅ）に示すように、内蓋１０ｂの内筒部１６に摺動自在に外嵌めされる有底円筒部３１と、有底円筒部３１の外周面の中間部に形成された所定幅の周溝３２と、この周溝３２部分における内蓋１０ｂの内筒部１６の一対の舌片１７に対応する位置に形成された対向一対の穴３３と、有底円筒部３１の下端部から径方向外側に張り出す外フランジ部３４と、上端部における内筒部１６の平面部に対応する位置に連設された、上端に係止爪３６を有する対向一対の起立片３５とを備えており、有底円筒部３１を内蓋１０ｂの内筒部１６に外嵌めすると、内蓋１０ｂの内筒部１６に形成された一対の舌片１７の係止爪１８が一対の穴３３に上下方向に移動可能に係合し、内蓋１０ｂの内筒部１６に上下方向に移動可能に支持される。
【００２４】
前記パッキン４０は、図３（ａ）、（ｂ）、図４及び図９（ａ）〜（ｅ）に示すように、外周面が全周に渡って径方向内側に窪んだ薄肉部４１と、この薄肉部４１から下方に向かってラッパ状に広がるスカート部４２と、内周面が全周に渡って径方向内側に張り出した内フランジ部４３と、上端部の外周面から径方向外側に張り出す外フランジ部４４とを有しており、内フランジ部４３がコア部材３０の周溝３２内に入り込むように、コア部材３０に外嵌めすると、内フランジ部４３が周溝３２の上端部と下端部との間で移動可能に周溝３２の上端部に位置すると共にスカート部４２がコア部材３０の外フランジ部３４の上面を覆う状態となり、スカート部４２が弾性変形することで、上下方向に摺動自在にコア部材３０に支持される。
【００２５】
このようにして、パッキン４０が摺動自在に支持されたコア部材３０の有底円筒部３１を、上述したように、内蓋１０ｂの内筒部１６に外嵌めすると、図３（ａ）、（ｂ）に示すように、パッキン４０の上端部が内蓋１０ｂの基板２０の下面に当接することで、内筒部１６の一対の舌片１７の係止爪１８がコア部材３０の一対の穴３３の上端部に係止されると共に、内フランジ部４３が周溝３２の上端部に位置し、スカート部４２の下端部がコア部材３０の外フランジ部３４の上面周縁部に当接した状態となる。
【００２６】
前記ロック手段は、図３（ａ）、（ｂ）、図４及び図１０（ａ）〜（ｄ）に示すように、コア部材３０の上端に係止爪３６を有する対向一対の起立片３５と、蓋本体１０のボタン収容部ＢＨにそれぞれ押し込み可能に収容される一対のロック解除ボタン５１と、このロック解除ボタン５１と共にボタン収容部ＢＨに収容され、それぞれのロック解除ボタン５１を外蓋１０ａの径方向外側に付勢するコイルバネ５７とから構成されている。
【００２７】
前記ロック解除ボタン５１は、外蓋１０ａの開口１３に露出する押込操作部５２と、コア部材３０の対向一対の起立片３５が進入可能な穴５３と、この穴５３の基端部側の端縁に形成された被係止爪５４と、両側部の基端部側に形成された一対の切欠部５５と、コイルバネ５７の端部がそれぞれ嵌合する凸部５６とを有しており、内蓋１０ｂ（支持部１９）の対向一対の起立板２１の対向面にそれぞれ形成された、それぞれの切欠部５５内に位置している、上下方向に延びる対向する二対の凸条２６がそれぞれの切欠部５５の両端部に係止されることで、外蓋１０ａの開口１３からのロック解除ボタン５１の脱落が防止されると共にロック解除ボタン５１の押込量が制限されるようになっている。
【００２８】
前記コア部材３０の対向一対の起立片３５の上端にそれぞれ形成された対向一対の係止爪３６は、双方の対向面が内側に向かって下方側に傾斜した傾斜面になっていると共に、ロック解除ボタン５１の被係止爪５４は係止爪３６の傾斜面と面接触可能な傾斜面を有しており、図３（ａ）、（ｂ）に示すように、コア部材３０に対して蓋本体１０が最も上昇した状態では、コア部材３０の係止爪３６とロック解除ボタン５１の被係止爪５４とが面接触している。
【００２９】
以上のように構成された飲料容器１において、容器本体２の口部２ａを蓋体３によって閉塞する際は、図１１（ａ）及び図１２（ａ）に示すように、コア部材３０の外フランジ部３４が容器本体２の窪み部２ｂの下面に当接するまでパッキン４０及びコア部材３０を容器本体２の口部２ａに挿入した状態で蓋本体１０を押し下げることにより、図１１（ｂ）及び図１２（ｂ）に示すように、コア部材３０に対して蓋本体１０及びパッキン４０が降下し、それに伴って、パッキン４０のスカート部４２がコア部材３０の外フランジ部３４に当接して押し広げられ、その先端がコア部材３０の外フランジ部３４の径方向外側に張り出して容器本体２の窪み部２ｂに圧入されることで容器本体２の窪み部２ｂに液密状態で圧着されると共に、蓋本体１０によって押し下げられたパッキン４０の外フランジ部４４の下面が容器本体２の口部２ａの上端部に液密状態で圧接するようになっている。
【００３０】
また、上述したように、コア部材３０の外フランジ部３４が容器本体２の窪み部２ｂの下面に当接するまでパッキン４０及びコア部材３０を容器本体２の口部２ａに挿入した状態で蓋本体１０を押し下げると、コア部材３０に対する蓋本体１０の降下に伴って、ロック解除ボタン５１の被係止爪５４と面接触しているコア部材３０の起立片３５の係止爪３６によってロック解除ボタン５１が内側に押し込まれながら降下し、被係止爪５４が係止爪３６の下側に移動した時点でロック解除ボタン５１がコイルバネ５７の付勢力によって径方向外側に押し出されて係止爪３６に係止されるので（図１１（ｂ）及び図１２（ｂ）参照）、コア部材３０に対して蓋本体１０が押し下げられた状態、即ち、容器本体２の口部２ａが蓋体３によって閉塞された状態に保持される。
【００３１】
このようにして、容器本体２の口部２ａを閉塞している蓋体３を取り外すには、一対のロック解除ボタン５１を同時に径方向内側に押し込んで被係止爪５４に対する係止爪３６の係止を解除すると、スカート部４２が押し広げられた状態に弾性変形しているパッキン４０の復元力によって、コア部材３０に対してパッキン４０が押し上げられるので、それに伴って、蓋本体１０も押し上げられ、図１１（ａ）及び図１２（ａ）に示す蓋本体１０を押し下げる前の状態に戻るので、容器本体２の口部２ａから引き抜くことで、蓋体３を容器本体２から取り外すことができる。
【００３２】
以上のように、この飲料容器１は、蓋体３におけるコア部材３０の外フランジ部３４が容器本体２の窪み部２ｂの下面に当接するまでパッキン４０及びコア部材３０を容器本体２の口部２ａに挿入した状態で蓋本体１０を押し下げるだけで、容器本体２の口部２ａが蓋体３によって液密状態に閉塞され、ロック手段によってその状態が保持されると共に、一対のロック解除ボタン５１を同時に径方向内側に押し込むだけで、ロック手段によるロックが解除され、蓋体３を容器本体２の口部２ａから引き抜き可能な状態になるので、蓋体を約３６０度回転させなければ、容器本体の口部を開閉することができない螺合タイプの飲料容器とは異なり、蓋体３による容器本体２の口部２ａの開閉をワンタッチで行うことができ、蓋体３による開閉操作に手間がかからないと共に、蓋体３による容器本体２の口部２ａの開閉時にパッキン４０が容器本体２の窪み部２ｂを周方向に摺動しないので、パッキン４０が摩耗し難く、シール性能が低下し難いという効果が得られる。また、蓋体３や容器本体２がねじ部分を有していないので、汚れがたまり難く、洗浄に手間がかからないという効果も得られる。
【００３３】
また、この飲料容器１は、パッキン４０が、上部に径方向外側に張り出す外フランジ部４４を有し、蓋体３によって容器本体２の口部２ａを閉塞した状態では、パッキン４０の外フランジ部４４の下面が容器本体２の口部２ａの上端部に液密状態で圧接するようになっているので、蓋体３によって容器本体２の口部２ａを閉塞した状態では、容器本体２の口部２ａの下側の窪み部２ｂと容器本体２の口部２ａの上端部の２箇所で液密状態となり、密封性能が向上し、容器本体２に充填された飲料の漏れ出しをより確実に防止することができる。
【００３４】
また、この飲料容器１は、蓋本体１０を押し下げるだけで、ロック手段によってコア部材３０に対して蓋本体１０が降下した状態に自動的に保持されると共に、ロック手段の一対のロック解除ボタン５１を径方向内側に同時に押し込むだけで、その保持状態が解除されるので、ロック手段によるロック及びロック解除の操作性に優れている。
【００３５】
また、この飲料容器１の蓋体３は、図３（ａ）、（ｂ）に示す状態で、コア部材３０を下方側に引っ張ると、内蓋１０ｂの内筒部１６に形成された一対の舌片１７が径方向内側に撓むことでコア部材３０の対向一対の穴３３に対する係止爪１８の係合が解除されるので、パッキン４０と共にコア部材３０を蓋本体１０から引き抜くことができ、さらに、コア部材３０に外嵌めされているパッキン４０をコア部材３０から取り外すと、蓋本体１０、コア部材３０及びパッキン４０をそれぞれ分離した状態で洗浄することができるので、蓋体３の洗浄作業性がよい。
【００３６】
図１３〜図２３は、他の実施形態を示している。この飲料容器１Ａも、図１３及び図１４に示すように、上述した飲料容器１と同様、口部２ａの下側の内周面が径方向外側に窪んだ窪み部２ｂを有する真空二重壁構造の容器本体２Ａと、この容器本体２Ａの口部２ａを閉塞する蓋体３Ａとを備えており、蓋体３Ａは、図１５に示すように、蓋本体１０Ａと、蓋本体１０Ａに取り付けられるコア部材３０Ａ及び弾性変形可能なシリコーンゴム製の筒状のパッキン４０Ａとから構成されている。
【００３７】
前記蓋本体１０Ａは、図１６〜図１８（ａ）、（ｂ）に示すように、容器本体２Ａの口部２ａに被嵌される外筒部１２Ａ及び容器本体２Ａの口部２ａに入り込む内筒部１６Ａを有するベース部材１０ｃと、ベース部材１０ｃの内筒部１６Ａに装着することで、ロック解除ボタン５１及びコイルバネ５４を収容するボタン収容部ＢＨをベース部材１０ｃに形成すると共に、ボタン収容部ＢＨからロック解除ボタン５１が脱落しないように、ボタン収容部ＢＨ内にロック解除ボタン５１及びコイルバネ５７を保持する補助部材１０ｄとから構成されており、補助部材１０ｄは、ベース部材１０ｃの内筒部１６Ａに装着した状態で、内筒部１６Ａの下端から径方向外側に張り出す外フランジ部２７Ａを下端部に有している。
【００３８】
前記コア部材３０Ａは、図１５及び図１９（ａ）、（ｂ）に示すように、上端が閉塞された、下端に外フランジ部３４Ａを有する筒状部３１Ａと、この筒状部３１Ａの外周面の中間部に形成された所定幅の周溝３２Ａと、筒状部３１Ａの上端部から立ち上がる、上端に係止爪３６Ａを有する対向一対の起立片３５Ａとを備えている。
【００３９】
前記パッキン４０Ａは、図１５及び図２０に示すように、外周面が全周に渡って径方向内側に窪んだ薄肉部４１Ａと、この薄肉部４１Ａから下方に向かってラッパ状に広がるスカート部４２Ａと、内周面が全周に渡って径方向内側に張り出した内フランジ部４３Ａと、上端部の外周面から径方向外側に張り出す外フランジ部４４Ａと、内周面における内フランジ部４３Ａの上側に隣接して形成された周溝４５Ａとを有しており、図２１（ａ）、（ｂ）に示すように、補助部材１０ｄの外フランジ部２７Ａが周溝４５Ａに嵌合することで、上半部がベース部材１０ｃの内筒部１６Ａに抜け止めされた状態で外嵌めされている。
【００４０】
従って、図２１（ａ）、（ｂ）に示すように、パッキン４０Ａが取り付けられた蓋本体１０Ａの補助部材１０ｄが装着されたベース部材１０ｃの内筒部１６Ａにコア部材３０Ａを内嵌めすると、図２２（ａ）、（ｂ）に示すように、パッキン４０Ａの内フランジ部４３Ａがコア部材３０Ａの周溝３２Ａに入り込み、コア部材３０Ａがパッキン４０Ａ（蓋本体１０）に対して上下方向に移動可能にパッキン４０Ａに支持されると共に、内フランジ部４３Ａが周溝３２Ａの上端部に位置し、スカート部４２Ａの下端部がコア部材３０Ａの外フランジ部３４Ａの上面周縁部に当接した状態の蓋体３Ａが得られる。
【００４１】
以上のように構成された飲料容器１Ａにおいて、容器本体２Ａの口部２ａを蓋体３Ａによって閉塞するには、図２３（ａ）に示すように、上述した飲料容器１と同様、コア部材３０Ａの外フランジ部３４Ａが容器本体２Ａの窪み部２ｂの下面に当接するまでパッキン４０Ａ及びコア部材３０Ａを容器本体２Ａの口部２ａに挿入した状態で蓋本体１０Ａを押し下げることにより、同図（ｂ）に示すように、コア部材３０Ａに対して蓋本体１０Ａ及びパッキン４０Ａが降下し、それに伴って、パッキン４０Ａのスカート部４２Ａがコア部材３０Ａの外フランジ部３４Ａに当接して押し広げられ、その先端がコア部材３０Ａの外フランジ部３４Ａの径方向外側に張り出して容器本体２Ａの窪み部２ｂに圧入されることで容器本体２Ａの窪み部２ｂに液密状態で圧着されると共に、蓋本体１０によって押し下げられたパッキン４０Ａの外フランジ部４４Ａの下面が容器本体２Ａの口部２ａの上端部に液密状態で圧接するようになっている。
【００４２】
なお、コア部材３０Ａの上端に係止爪３６Ａを有する対向一対の起立片３５Ａと、蓋本体１０Ａのボタン収容部ＢＨにそれぞれ収容、保持される一対のロック解除ボタン５１及びコイルバネ５７とによってロック手段が構成され、そのロック動作及びロック解除動作は、上述した飲料容器１と同様であるため、説明は省略する。
【００４３】
また、この飲料容器１Ａの蓋体３Ａは、図２２（ａ）、（ｂ）に示す状態で、コア部材３０Ａを下方側に引っ張ると、パッキン４０Ａが弾性変形することでコア部材３０Ａの周溝３２Ａからパッキン４０Ａの内フランジ部４３Ａが脱落するので、コア部材３０Ａを蓋本体１０から引き抜くことができ、さらに、蓋本体１０Ａ（ベース部材１０ｃ）の内筒部１６Ａに外嵌めされているパッキン４０Ａを蓋本体１０Ａ（ベース部材１０ｃ）から取り外すと、蓋本体１０Ａ、コア部材３０Ａ及びパッキン４０Ａをそれぞれ分離した状態で洗浄することができるので、上述した飲料容器１と同様に、蓋体３Ａの洗浄作業性がよい。
【００４４】
また、上述した各実施形態では、蓋本体１０に対して上下方向に移動可能に蓋本体１０の内筒部１６に外嵌めしたコア部材３０に対して上下方向に移動可能かつ蓋本体１０によって押し下げ可能にパッキン４０をコア部材３０に外嵌めした蓋体３を備えた飲料容器１や、蓋本体１０Ａに対して上下方向に移動可能に蓋本体１０Ａの内筒部１６Ａに内嵌めしたコア部材３０Ａに対して上下方向に移動可能にパッキン４０Ａの下半部をコア部材３０Ａに外嵌めすると共に蓋本体１０の内筒部１６Ａにパッキン４０Ａの上半部を外嵌めした状態で固定した蓋体３Ａを備えた飲料容器１Ａについて説明したが、蓋体の形態はこれに限定されるものではなく、コア部材に対して蓋本体を押し下げ可能で、かつ、蓋本体の押し下げ動作に連動してパッキンがコア部材に対して押し下げられるのであれば、種々の形態を採用することができる。
【産業上の利用可能性】
【００４５】
本考案は、携帯用魔法瓶や水筒等の携帯用飲料容器等として利用することができる。
【符号の説明】
【００４６】
１、１Ａ  飲料容器
２、２Ａ  容器本体
２ａ  口部
２ｂ  窪み部
３、３Ａ  蓋体
１０、１０Ａ  蓋本体
１０ａ  外蓋
１０ｂ  内蓋
１０ｃ  ベース部材
１０ｄ  補助部材
１１  天板
１２、１２Ａ  外筒部
１３  開口
１４  係止爪
１５  凸条
１６、１６Ａ  内筒部
１７  舌片
１８  係止爪
１９  支持部
２０  基板
２１  起立板
２２  円弧起立板
２３  穴
２４  縦溝
２５  凹部
２６  凸条
２７Ａ  外フランジ部
３０、３０Ａ  コア部材
３１  有底円筒部
３１Ａ  筒状部
３２、３２Ａ  周溝
３３  穴
３４、３４Ａ  外フランジ部
３５、３５Ａ  起立片
３６、３６Ａ  係止爪
４０、４０ａ  パッキン
４１、４１Ａ  薄肉部
４２、４２Ａ  スカート部
４３、４３Ａ  内フランジ部
４４、４４Ａ  外フランジ部
４５Ａ  周溝
５１  ロック解除ボタン
５２  押込操作部
５３  穴
５４  被係止爪
５５  切欠部
５６  凸部
５７  コイルバネ
ＢＨ  ボタン収容部
【図１】
0003226157.tif 000003
【図２】
0003226157.tif 000004
【図３】
0003226157.tif 000005
【図４】
0003226157.tif 000006
【図５】
0003226157.tif 000007
【図６】
0003226157.tif 000008
【図７】
0003226157.tif 000009
【図８】
0003226157.tif 000010
【図９】
0003226157.tif 000011
【図１０】
0003226157.tif 000012
【図１１】
0003226157.tif 000013
【図１２】
0003226157.tif 000014
【図１３】
0003226157.tif 000015
【図１４】
0003226157.tif 000016
【図１５】
0003226157.tif 000017
【図１６】
0003226157.tif 000018
【図１７】
0003226157.tif 000019
【図１８】
0003226157.tif 000020
【図１９】
0003226157.tif 000021
【図２０】
0003226157.tif 000022
【図２１】
0003226157.tif 000023
【図２２】
0003226157.tif 000024
【図２３】
0003226157.tif 000025
【図２４】
0003226157.tif 000026